(57)【特許請求の範囲】
【請求項１】
パネル材が交差する方向に向けて横方向にそれぞれ連設され、前記交差するパネル材の間にコーナーパネルが配置された防音パネルのコーナー構造であって、前記コーナーパネルは、交差する方向に配置されたパネル材どうしの隙間を塞ぐコーナーパネル本体と、該コーナーパネル本体の上端に取付けられた上蓋とを備え、コーナーパネルの後方に立設されたコーナー支柱から前方に突設されたフックの立上部が、前記上蓋に上下面を貫通して設けられた係止孔に下面側から挿入されて係止されることにより、コーナーパネルがコーナー支柱に取付けられると共に、前記フックの立上部を上蓋の係止孔に誘導するガイド溝が前記上蓋の下面を底として設けられていることを特徴とする防音パネルのコーナー構造。
【請求項２】
前記ガイド溝は、後面入口から奥部に向かってその間隔が徐々に狭くなるようになされ、該奥部の上方に前記上蓋の係止孔が設けられていることを特徴とする請求項１に記載の防音パネルのコーナー構造。
【請求項３】
前記コーナーパネル本体の左右側面とパネル材との間に弾性部材が取付けられていることを特徴とする請求項１又は２に記載の防音パネルのコーナー構造。
【発明の詳細な説明】
【技術分野】
【０００１】
本発明は、建設工事現場に設けられる仮設用防音パネルにおいて、そのコーナー部に取付けられるコーナー部材に関するものである。
【背景技術】
【０００２】
一般に、建築工事現場においては、建築物の周囲を仮設の囲いで覆い、工事に伴う埃等の飛散したり、工事の騒音が外部に漏れたりすることを抑えている。このような仮設の囲いとしては、平板状のパネル材で取り囲み、コーナー部はパネル材の隙間を防ぐために専用のコーナー部材が取付けられた防音パネルが用いられている。このような防音パネルは建築工事が終了すれば不要となるので、分解して別の建築工事現場で再び利用できる防音パネルが多い。
【０００３】
例えば、特許文献１には、可撓性を有する合成樹脂板からなり、該合成樹脂板の両側端部に係合部がそれぞれ形成され、両係合部がコーナー部を形成する二個のパネル材に係止されてなるコーナーパネルが提案されている。
【先行技術文献】
【特許文献】
【０００４】
【特許文献１】特開２００１−０８１９７３号公報
【発明の概要】
【発明が解決しようとする課題】
【０００５】
しかしながら、特許文献１のコーナーパネルは、パネルの両側端部を係止されるのみであるため、高所において平坦なパネルを湾曲させて両側端部を係止させる作業は容易でなく、またパネルを上下方向に積み重ねるには向いていないものであった。
【０００６】
本発明は、前記の如き問題点を解消し、防音パネルのコーナー部においてコーナー支柱に取付けやすく、かつ上下に重ねて取付けやすい防音パネルのコーナー構造を提供せんとするものである。
【課題を解決するための手段】
【０００７】
上記目的を達成するために、本発明は次のような構成としている。
すなわちこの発明に係る防音パネルのコーナー構造は、パネル材が交差する方向に向けて横方向にそれぞれ連設され、前記交差するパネル材の間にコーナーパネルが配置された防音パネルのコーナー構造であって、前記コーナーパネルは、交差する方向に配置されたパネル材どうしの隙間を塞ぐコーナーパネル本体と、該コーナーパネル本体の上端に取付けられた上蓋とを備え、コーナーパネルの後方に立設されたコーナー支柱から前方に突設されたフックの立上部が、前記上蓋に上下面を貫通して設けられた係止孔に下面側から挿入されて係止されることにより、コーナーパネルがコーナー支柱に取付けられると共に、前記フックの立上部を上蓋の係止孔に誘導するガイド溝が前記上蓋の下面を底として設けられていることを特徴とするものである。
本発明に係る防音パネルのコーナー構造において、前記ガイド溝を、後面入口から奥部に向かってその間隔が徐々に狭くし、該奥部の上方に前記上蓋の係止孔を設けた構成としてもよい。
また本発明に係る防音パネルのコーナー構造において、前記コーナーパネル本体の左右側面とパネル材との間に弾性部材を取付けた構成としてもよい。
【発明の効果】
【０００８】
本発明によれば、コーナーパネルの後方に立設されたコーナー支柱から前方に突設されたフックがコーナーパネルの上蓋に設けられた係止孔に係止され、該コーナー支柱と相対向する前記コーナーパネル本体には、前記フックを上蓋の係止孔に誘導するガイド溝が設けられているので、低所や高所を問わずコーナーパネルの取付作業が容易であり、コーナー支柱のフックの取付位置に合わせてコーナーパネルを上下方向に取付けることができる。
【０００９】
本発明に係る防音パネルのコーナー構造において、前記ガイド溝を、後面入口から奥部に向かってその間隔が徐々に狭くし、該奥部の上方に前記上蓋の係止孔を設けた構成とすれば、ガイド溝に対してフックの挿入方向が係止孔の設置位置とずれていても、ガイド溝によってそのずれが規制され、フックを係止孔に誘導することが容易となる。
【００１０】
また本発明に係る防音パネルのコーナー構造において、前記コーナーパネル本体の左右側面とパネル材との間に弾性部材を取付けた構成とすれば、コーナーパネル取付作業時の位置調整が容易となり、パネル材とコーナーパネルとの隙間を確実に塞ぐことができる。
【図面の簡単な説明】
【００１１】
【図１】本発明に係る防音パネルのコーナー構造において、実施の一形態を示す正面図である。
【図２】本発明に係る防音パネルのコーナー構造において、実施の一形態を示す正面図である。
【図３】本発明に係る防音パネルのコーナー構造において、実施の一形態を示す平面図である。
【図４】防音パネルの実施の一形態を示す説明図である。
【図５】図１の防音パネルの取付構造を示す説明図である。
【図６】コーナーパネルの実施の一形態を示す説明図である。
【図７】図６のＡ−Ａ拡大断面図である
【図８】図１のコーナーパネルの取付構造を示す説明図である。
【図９】図１のコーナーパネルの取付構造を示す説明図である。
【図１０】コーナーパネルの変形を示す拡大平面図である。
【発明を実施するための形態】
【００１２】
次に、本発明を実施するための最良の形態について図面を参照し、具体的に説明する。
【００１３】
図１〜３は、本発明に係る防音パネルのコーナー構造Ｐにおいて実施の一形態を示す説明図であり、図1は正面図、図２は側面図、図３は平面図である。防音パネルのコーナー構造Ｐは、建築工事現場（図示せず）の周囲を囲んで取付けられる防音パネルにおいて、横方向に連設されたパネル材１と、前記パネル材１と交差する方向に連設される別のパネル材１と、これらパネル材１の間に配置されるコーナーパネル２と、コーナーパネル２が取付けられるコーナー支柱３とから主に構成されている。
【００１４】
パネル材１は、交差する方向にそれぞれ連設されて建築工事現場で発生する騒音や粉塵等が外部へ漏れることを防ぐものであり、一般には、建築工事現場を取り囲んで連設され、パネル材１の後方に立設されたコーナー支柱３又は支柱Ｓに取付けられ、上下方向にも連設可能となされている。
【００１５】
図４は、本実施形態に係るパネル材１の説明図であり、（ａ）は斜視図、（ｂ）は主要部の縦断面図である。パネル材１は、矩形状のパネル本体１１と、このパネル本体１１の端縁に沿って取付けられる枠体１２とを備えている。パネル本体１１は、合成樹脂シートの両面に金属シートが貼着されたものであり、軽量で遮音性能に優れたものとなり好ましい。枠体１２は、複数の枠材１３からなり、各枠材１３の長手方向に沿って枠体１２の内側に向けて開口する挿入溝１４にパネル本体１１の端縁が挿入されてパネル材１が形成される。なお、パネル材１は本実施形態に限定されるものではなく、例えば、パネル本体１１として合成樹脂シートや金属シートのみを用いたものでもよく、またアルミニウム合金等からなる金属シートを用いてパネル本体１１と枠体１２とを一体に形成したものでもよい。
【００１６】
図５はパネル材１の取付構造を示す概略説明図である。支柱Ｓは、図３，５に示すように、Ｌ字状のフックＦが設けられている。パネル材１の枠体１２の上部及び下部に設けられた係止孔１５に前記フックＦを係止させることにより、支柱Ｓにパネル材１を取付けることができる。またフックＦを上下に複数個配置すれば、パネル材１を上下方向に連続的に取付けることができる。更に図３に示すように、フックＦが２個取付けられたクランプＣを支柱Ｓに取付けておけば、パネル材１を横方向に連設させることが可能となる。この際、パネル材１の間には、後記の弾性部材４４と同様な弾性部材１６を取付けおけば、パネル材１間の隙間を塞ぐことができる。フックＦを、後記するコーナー支柱３に着脱可能なクランプ７３に設けておけば、コーナー支柱３にパネル材１とコーナーパネル２とを取付けることができる。尚パネル材１の連設は、建築工事現場で発生する騒音や粉塵等が外部へ漏れることを防ぐものであればよく、本実施形態に限られるものではない。
【００１７】
コーナーパネル２は、図３に示すように、コーナー支柱３の前方に取付けられ、交差する方向に立設された２個のパネル材１間の隙間を塞いで、建設工事に伴って発生する飛散物や騒音が前記隙間を通って外側に漏れることを防ぐものである。
【００１８】
次に、コーナーパネル２について詳しく説明する。図６は、コーナーパネル２の説明図であり、（ａ）は正面図、（ｂ）は平面図、（ｃ）は底面図である。また図７は、（ａ）のＡ−Ａ拡大断面図である。コーナーパネル２は、交差する方向に立設されたパネル材１どうしの隙間を塞ぐコーナーパネル本体４と、コーナーパネル本体４の上端に取付けられる上蓋５と、コーナーパネル本体４の下端に取付けられる下蓋６とを備えている。
【００１９】
コーナーパネル本体４は、交差するパネル材２どうしの隙間を塞ぐ外壁部４１と、外壁部４１の後方に形成され、コーナー支柱３と相対向するコーナーパネル本体４の後方に向けて開口するガイド溝４２とを備えている。
【００２０】
外壁部４１は、本実施形態では、コーナー支柱３の長手方向に沿って形成されたものであり、前面部は、長手方向に沿って多数の突条４１ａが設けられと共に、交差するパネル材２どうしと略面一に形成されており、意匠性を高めることができる。
【００２１】
外壁部４１の後部には交差するパネル材２とそれぞれ対向する対向壁部４３が設けられ、パネル材との間には、弾性部材４４が対向壁部４３の長手方向に沿ってそれぞれ配置されており、図３に示すようにパネル材２とコーナーパネル本体４との隙間を塞ぐと共に、コーナーパネル２の取付作業時に横方向の位置調整が可能となされている。
【００２２】
弾性部材４４は、ゴム、エラストマー等からなる棒状体であり、本実施形態のように内部に中空部が設けられた筒状体でもよい。また、弾性部材４４は、パネル材２または対向壁部４３の何れに取付けられてもよく、またその取付方法は、両面テープ、接着剤、ビス、リベット等、特に限定されるものではないが、本実施形態では、弾性部材４４の少なくとも一方は、対向壁部４３にビスＢによって取付けられており、ビスＢの先端は、対向壁部４３の内部に設けられた中空部４５内に収まっている。これにより、弾性部材４４がコーナーパネル本体４から容易に捲れたり外れたりしにくくなり、またビスＢ１の螺子先端が露出することなく、作業者が直接触れるおそれがなくなり、施工作業時の安全性を高めることができる。前記中空部４５の内壁部には上蓋５及び下蓋６をビス止めするためのビスホール４６が長手方向に沿って設けられている。
【００２３】
上蓋５は、コーナーパネル本体４の上端を覆うものであり、平板状に形成され、上蓋５に設けられたビス孔５１から中空部４５のビスホール４６に向けて螺入された固定ビスＢ２によって、コーナーパネル２の上端に固定されている。そして、上蓋５にはガイド溝４２の上側端部に通じる係止孔５２が形成されている。
【００２４】
下蓋６は、上蓋５と同様な平板状に形成され、コーナーパネル本体４の下端を覆うものであり、下蓋６に設けられたビス孔６１から中空部４５のビスホール４６に向けて螺入された固定ビスＢ２によって、コーナーパネル２の下端に固定されている。そして、下蓋６にはガイド溝４２に通じる係止孔６２が形成されている。
【００２５】
上蓋５及び下蓋６は、本実施形態では、同様な形状となされ、いずれもアルミニウム合金の板材を適宜大きさに切断し、コーナーパネル本体４のガイド溝４２の位置に合わせて係止孔５２，６２を設けたものであるが、他の金属や合成樹脂を用いてもよく、ガイド溝４２に対する係止孔５２及び係止孔６２の形成位置や大きさが異なるものでもよい。
【００２６】
コーナー支柱３は、コーナーパネル２が取付けられるものであり、該コーナーパネル２の後側に立設されている。コーナー支柱３は、一般に強度的に安定しており安価な丸鋼管が用いられるが、ステンレス合金やアルミニウム合金等の他の金属からなる管材を用いてもよい。
【００２７】
図８及び図９は、コーナー支柱３に対するコーナーパネル２の取付構造を示す説明図である。コーナー支柱３には、側方に突出するフック７が設けられている。フック７は、コーナー支柱３から側方に突出する棒状の突出部７１と、突出部７１の先端部から立ち上がる棒状の立上部７２を備えたＬ字状となされている。フック７は、一般には鋼製の棒体から形成されるものであるが、コーナーパネル２が取付けられる充分な強度を有していれば特に限定されるものではない。
【００２８】
またフック７は、コーナー支柱３の外周部に溶接等により直接設けられたものでもよいが、本実施形態のように、コーナー支柱３に着脱可能なクランプ７３の外周部に設けられたものを用いることによって、コーナー支柱３におけるフック７の高さ位置調整が容易となるので好ましい。
【００２９】
フック７が設けられたクランプ７３は、コーナー支柱３においてコーナーパネル２の上蓋５及び下蓋６に対応する位置にそれぞれ設けられており、フック７の立上部７２がコーナーパネル本体４のガイド溝４２に挿入され、上蓋５の係止孔５２に向けて誘導することによって、上蓋５がフック７に係止され、コーナーパネル２をコーナー支柱３に取付けることができる。
【００３０】
上蓋５の係止孔５２は、本実施形態では、コーナーパネル本体４に取付けた際に、ガイド溝４２の奥部に形成されている。これにより、フック７の立上部７２をガイド溝４２内に挿入すれば、ガイド溝４２に沿って前記立上部７２を係止孔２に誘導することができる。またガイド溝４２は、入口から奥部に向かってその間隔が徐々に狭くなるようになされ、該奥部の上方に前記上蓋５の係止孔５２が設けられている。これにより、作業者がフック７の立上部７２をガイド溝４２内に挿入すれば、その挿入方向に対して係止孔５２の位置からずれていても、ガイド溝４２の側壁部４７により立上部７２の移動が規制されて係止孔５２の方に誘導させることができる。
【００３１】
また上方のフック７の立上部７２をコーナーパネル本体４のガイド溝４２の奥部まで挿入すれば、立上部７２と係止孔５２の上下方向の位置を合わせやすいので、下方のフック７の立上部７２と下蓋６の係止孔６２の上下方向の位置とを合わせやすくなり、コーナーパネル本体４の取付作業が容易となる。加えて、上下方向にコーナーパネル２を連設する場合も、前記に記載した作業を繰り返せばよいので、施工性を更に高めることができる。
【００３２】
更に、上蓋５の係止孔５２及び下蓋５の係止孔６２は長孔となされている。これにより、コーナーパネル２を取付ける前に前記パネル材１が設けられている場合であっても、その逆の場合であっても、パネル材１とコーナーパネル本体４と間に配置され弾性部材４４と相まって、コーナーパネル２の位置調整が容易となる。
【００３３】
図１０は、コーナーパネル２の実施の変形を示す説明図である。すなわち、係止孔５２は、コーナーパネル本体４のガイド溝４２の最奥部に設けられている。これにより、フック７の立上部７２をガイド溝４２の最奥部まで挿入して上方へ移動させることにより、立上部７２を係止孔５２へ確実に誘導することができる。
【００３４】
コーナーパネル本体４は、本実施形態では、アルミニウム合金の押出型材による長尺体を必要な長さに切断して用いるものであるが、本実施形態に限られるものではなく、他の金属や合成樹脂を用いた物でもよい。又、コーナーパネル本体４の中空部４６は左右に形成されている、図１０に示すように、左右の中空部４６が連結されたものでもよい。
【００３５】
建築工事が終われば、本実施形態の様に、コーナーパネル２を複数段積み上げている場合であっても、上から順に取り外せばよいので取外作業も容易であり、その後他の建築現場で利用することができる。
【符号の説明】
【００３６】
１    パネル材
２    コーナーパネル
３    コーナー支柱
４    コーナーパネル本体
４２  ガイド溝
４７  側壁部
５    上蓋
５２  係止孔
６    下蓋
６２  係止孔
７    フック
７２  立上部
Ｃ    クランプ
Ｆ    フック
Ｐ    防音パネルのコーナー構造
Ｓ    支柱
【図１】
0005411626.tif 000002
【図２】
0005411626.tif 000003
【図３】
0005411626.tif 000004
【図４】
0005411626.tif 000005
【図５】
0005411626.tif 000006
【図６】
0005411626.tif 000007
【図７】
0005411626.tif 000008
【図８】
0005411626.tif 000009
【図９】
0005411626.tif 000010
【図１０】
0005411626.tif 000011